(57)【要約】【課題】  毛髪４に枝毛の原因となる折り目を付けることなく、常に適切な量の毛髪４を効率良く軽快にカットできる実用性に秀れた画期的なすき鋏を提供すること。【解決手段】  櫛刃２の先端縁を、櫛状刃板３の基端側を高位端側部６ａ，先端側を低位端側部６ｂとし高位端側部６ａから低位端側部６ｂに直線状に下り傾斜する傾斜辺状縁６に形成し、更に、この傾斜辺状縁６は、各櫛刃２の高位端側部６ａを次々と結線することで想定される刃先線に対して前記低位端側部６ｂがこの刃先線と略合致する位置にはなくこの刃先線より櫛刃２基端側に離れた位置となるように大きく下り傾斜するように形成し、この傾斜辺状縁６に凹溝14を凹設したすき鋏。【選択図】      図２
2005334618.tif 000002
【特許請求の範囲】
【請求項１】
刃縁を形成した刃板と櫛刃を多数並設状態に突設した櫛状刃板とを、両刃板の交叉部で枢着して開閉自在に構成し、前記櫛刃の先端縁に毛髪を支承保持する凹状保持縁を形成し、この凹状保持縁に支承保持された毛髪を刃板の刃縁によって切断し、前記櫛刃間に入った毛髪は、刃板の刃縁によって切断し得ないように構成したすき鋏であって、前記櫛刃の先端縁を、前記櫛状刃板の基端側を高位端側部，先端側を低位端側部として高位端側部から低位端側部に直線状に下り傾斜する傾斜辺状縁に形成し、更に、傾斜辺状縁は、各櫛刃の高位端側部を次々と結線することで想定される刃先線に対して前記低位端側部がこの刃先線と略合致する位置にはなくこの刃先線より櫛刃基端側に離れた位置となるように大きく下り傾斜するように形成し、この傾斜辺状縁に前記凹状保持縁としての凹溝を凹設し、この傾斜辺状縁は毛髪を前記傾斜辺状縁の高位から低位に毛髪の自重若しくは前記刃板の閉動による押圧によって案内する傾斜案内部となるように形成し、この傾斜案内部としての傾斜辺状縁に凹設された前記凹溝は、毛髪が該傾斜辺状縁の高位から低位に案内される際に、毛髪が滑落し支承保持されることによってこの毛髪を凹溝に留め、傾斜辺状縁から前記櫛刃間に毛髪が排出されることを阻止するように形成したことを特徴とするすき鋏。
【請求項２】
前記凹溝は、前記傾斜辺状縁に複数並設状態に凹設したことを特徴とする請求項１記載のすき鋏。
【請求項３】
前記凹溝は、前記傾斜辺状縁の低位端側部側寄りに凹設した構成としたことを特徴とする請求項１，２のいずれか１項に記載のすき鋏。
【請求項４】
前記傾斜辺状縁の低位端側部に、この傾斜辺状縁と対向状態に傾斜短辺状縁を設けることで、前記櫛刃の先端縁に傾斜短辺状縁と傾斜辺状縁とからなる偏Ｕ字状若しくは偏Ｖ字状の凹縁部を形成し、この凹縁部は、前記傾斜辺状縁に凹設した凹溝に支承保持されずに残余としてそのまま前記櫛刃間に排出される毛髪が、前記傾斜短辺状縁によって阻止され凹縁部で支承保持されると共に、所定量の毛髪がこの凹縁部で支承保持されると残余は前記刃板の閉動作による押圧によって前記傾斜短辺状縁を越えて前記櫛刃間に排出されるように形成した構成としたことを特徴とする請求項１〜３のいずれか１項に記載のすき鋏。
【発明の詳細な説明】
【技術分野】
【０００１】
本発明は、すき鋏に関するものである。
【背景技術】
【０００２】
一般的なすき鋏は、刃縁を形成した刃板と櫛刃を多数並設状態に突設した櫛状刃板とを、両刃板の交叉部で枢着して開閉自在に構成し、前記櫛刃の先端縁で毛髪を支承保持し、この支承保持した毛髪を刃板の刃縁によって切断し、前記櫛刃間に入った毛髪は、刃板の刃縁によって切断し得ないように構成されているものである。
【０００３】
この従来のすき鋏においては、前記櫛刃の先端縁を、何ら凹凸がない平坦縁に形成すると、毛髪を確実に支承保持できず良好に切断できないだけでなく、切断できなかった毛髪に枝毛の原因となる折れ目がついてしまうため、この平坦縁の中央部に毛髪を確実に支承保持するためのＵ字状やＶ字状の凹状保持縁を形成することで、この凹状保持縁において支承保持される毛髪を折れ目を付けることなく良好に切断している。
【０００４】
ところが、前記凹状保持縁においては毛髪が確実に支承保持されるための毛髪の切断を良好に行うことができるが、この中央部に形成された凹状保持縁の左右両側にわずかでも平坦縁があると、この平坦縁において毛髪を良好に切断できずに折り目をつけてしまうことがある。
【０００５】
しかし、例えば、前記平坦縁がなくなるように前記櫛刃の先端縁全体を前記凹状保持縁に設定した場合には、櫛刃の先端縁全体で良好に毛髪の切断を行うことができ、折り目が付くことを阻止することは可能であるが、この凹状保持縁に支承保持される毛髪が多くなり過ぎて一度に切断する毛髪の量が多くなり、切断時の抵抗が大きくなって前記刃板と櫛状刃板の開閉動作が重くなることで、軽快なカッティングを行うことができず、カッティングを行う理容師や美容師の負担が大きくなってしまうという問題点がある。
【０００６】
この際、切断する毛髪を少なくするために凹状保持縁を浅く形成しても、この凹状保持縁に支承保持される毛髪の量は僅かしか減らすことができず、また、この凹状保持縁を非常に浅く形成すると支承保持作用を良好に発揮できず、平坦縁と同様に毛髪を良好に切断できなくなってしまう。
【発明の開示】
【発明が解決しようとする課題】
【０００７】
本発明は、上述のような現状に鑑み、櫛刃の先端縁を、櫛状刃板の基端側を高位端側部，先端側を低位端側部としてこの高位端側部から低位端側部に向かって直線状に下り傾斜する傾斜辺状縁に形成し、更に、この傾斜辺状縁は、各櫛刃の高位端側部を次々と結線することで想定される刃先線に対して前記低位端側部がこの刃先線と略合致する位置にはなくこの刃先線より櫛刃基端側に離れた位置となるように大きく下り傾斜するように形成することで、この傾斜辺状縁を、毛髪を高位から低位に該毛髪の自重若しくは前記刃板の刃縁による押圧によって案内する傾斜案内部となるように形成し、この傾斜案内部としての傾斜辺状縁に、前記凹状保持縁としての凹溝を凹設することで、傾斜辺状縁に載った毛髪をこの傾斜案内部としての傾斜辺状縁によって前記凹溝に案内し、該凹溝に確実に毛髪が溜まることとなり、この凹溝に支承保持された毛髪を確実に切断できるだけでなく、該凹溝入り切らなかった毛髪は容易に前記低位端側部側に滑落しこの傾斜辺状縁から櫛刃間に排出されるから、この凹溝に入り切らなかった毛髪にも折り目を付けることがなく良好にカッティングを行うことができ、しかも、前記傾斜案内部としての傾斜辺状縁に載った毛髪を前記凹溝に集めると共に、この凹溝に集まった毛髪が多い場合には、残余は該凹溝に支承されずに傾斜辺状縁から櫛刃間に排出されることとなるので、常に多すぎず少なすぎず適切な量の毛髪だけをカットすることとなるので、常に効率良く適切な量の毛髪を軽快な切り心地でカットすることができる極めて実用性に秀れた画期的なすき鋏を提供することを課題とする。
【課題を解決するための手段】
【０００８】
添付図面を参照して本発明の要旨を説明する。
【０００９】
刃縁11を形成した刃板１と櫛刃２を多数並設状態に突設した櫛状刃板３とを、両刃板１，３の交叉部で枢着して開閉自在に構成し、前記櫛刃２の先端縁に毛髪４を支承保持する凹状保持縁を形成し、この凹状保持縁に支承保持された毛髪４を刃板１の刃縁11によって切断し、前記櫛刃２間に入った毛髪４は、刃板１の刃縁11によって切断し得ないように構成したすき鋏であって、前記櫛刃２の先端縁を、前記櫛状刃板３の基端側を高位端側部６ａ，先端側を低位端側部６ｂとして高位端側部６ａから低位端側部６ｂに直線状に下り傾斜する傾斜辺状縁６に形成し、更に、傾斜辺状縁６は、各櫛刃２の高位端側部６ａを次々と結線することで想定される刃先線に対して前記低位端側部６ｂがこの刃先線と略合致する位置にはなくこの刃先線より櫛刃２基端側に離れた位置となるように大きく下り傾斜するように形成し、この傾斜辺状縁６に前記凹状保持縁としての凹溝14を凹設し、この傾斜辺状縁６は毛髪４を前記傾斜辺状縁６の高位から低位に毛髪４の自重若しくは前記刃板１の閉動による押圧によって案内する傾斜案内部となるように形成し、この傾斜案内部としての傾斜辺状縁６に凹設された前記凹溝14は、毛髪４が該傾斜辺状縁６の高位から低位に案内される際に、毛髪４が滑落し支承保持されることによってこの毛髪４を凹溝14に留め、傾斜辺状縁６から前記櫛刃２間に毛髪４が排出されることを阻止するように形成したことを特徴とするすき鋏に係るものである。
【００１０】
また、前記凹溝14は、前記傾斜辺状縁６に複数並設状態に凹設したことを特徴とする請求項１記載のすき鋏に係るものである。
【００１１】
また、前記凹溝14は、前記傾斜辺状縁６の低位端側部６ｂ側寄りに凹設した構成としたことを特徴とする請求項１，２のいずれか１項に記載のすき鋏に係るものである。
【００１２】
また、前記傾斜辺状縁６の低位端側部６ｂに、この傾斜辺状縁６と対向状態に傾斜短辺状縁７を設けることで、前記櫛刃２の先端縁に傾斜短辺状縁７と傾斜辺状縁６とからなる偏Ｕ字状若しくは偏Ｖ字状の凹縁部９を形成し、この凹縁部９は、前記傾斜辺状縁６に凹設した凹溝14に支承保持されずに残余としてそのまま前記櫛刃２間に排出される毛髪４が、前記傾斜短辺状縁７によって阻止され凹縁部９で支承保持されると共に、所定量の毛髪４がこの凹縁部９で支承保持されると残余は前記刃板１の閉動作による押圧によって前記傾斜短辺状縁７を越えて前記櫛刃２間に排出されるように形成した構成としたことを特徴とする請求項１〜３のいずれか１項に記載のすき鋏に係るものである。
【発明の効果】
【００１３】
本発明は上述のように構成したから、前記櫛刃の先端縁である傾斜辺状縁に載った毛髪は、各櫛刃の高位端側部を次々と結線することで想定される刃先線に対して前記低位端側部がこの刃先線と略合致する位置にはなくこの刃先線より櫛刃基端側に離れた位置となるように大きく下り傾斜するように形成した傾斜案内部としての該傾斜辺状縁を、自重によって滑落することとなり、この傾斜辺状縁に凹設された凹溝に案内されるから、凹溝には良好に所定量の毛髪が溜まることとなり、凹溝において支承保持された毛髪だけを確実にカットでき、しかも、この凹溝に入り切らなかった残余は前記傾斜辺状縁を滑動し櫛刃間に排出されることとなり、この残余分の毛髪に折り目を付けることなくカッティングを行うことができ、よって、常に適切な量の毛髪を効率良く軽快にカットでき作業性に秀れる。
【００１４】
また、前記傾斜辺状縁に載った毛髪は自重だけでなく前記刃板の押圧によって強制的に押動され、前記傾斜辺状縁を低位端側部に向かって滑落することとなり、前記凹溝に確実に毛髪が溜まると共に、この凹溝で支承保持し切れなかった残余分の毛髪を、強制的に前記櫛刃間に排除できるから、毛髪に折り目がつくことを確実に阻止でき作業性に秀れる。
【００１５】
また、前記傾斜辺状縁は、直線状に形成されているから、前記毛髪は、該傾斜辺状縁のどの位置に載った場合にも良好に低位端側部側に滑落することとなり、よって、この傾斜辺状縁に載った毛髪は、一層確実に、前記凹溝に案内されて該凹溝にて支承保持されるか、若しくは、該傾斜辺状縁から前記櫛刃間に排出されることとなり、一層毛髪に折り目を付けることなく、所定量の毛髪のみを良好にカットできる。
【００１６】
しかも、本発明に係るすき鋏の先端縁は、従来のすき鋏と比しても、構成が複雑なものではなく、あくまでも、従来のすき鋏と略同様な製造コストで、容易に製造が可能でありながら、それでいて、上述のような秀れた作用効果を発揮し得る実用性に秀れたものである。
【００１７】
従って、本発明に係るすき鋏は、常に一回のカッティング動作で適切な量の毛髪を効率よく軽快にカットでき、しかも、毛髪に枝毛の原因となる折り目を付けることなく良好にカットでき、更に、生産性やコスト面においても秀れるなど、極めて実用性に秀れた画期的で商品価値の高いすき鋏である。
【００１８】
また、請求項２記載の発明においては、前記傾斜辺状縁と前記凹溝によって、毛髪に折り目をつけずに適切な量を良好にカットすることができるのは勿論、前記凹溝を複数並設状態に凹設することにより、毛髪を複数箇所に分散して支承保持することとなるから、個々の凹溝を小さく設定することができ、これらの複数の凹溝を次々と順番に段階的にカットすることとなるから、各個に小さい抵抗でこれらの複数の凹溝を段階的にカットし、一層軽快なカッティングを行うことができ、また、例えば、抵抗の小さい軽快な切り心地を保ちながら、一度のカッティング動作でより多くの毛髪を軽快にカッティングすることもできるなど、一層作業性に秀れる。
【００１９】
また、上述の通り、傾斜辺状縁に載った毛髪は、自重及び前記刃板の閉動による押圧によって、これらの複数の凹溝夫々に良好に案内されるから、これらの複数の凹溝夫々に確実に毛髪が溜まることとなるから、凹溝を複数並設状態に凹設したことによる上記秀れた効果が確実に発揮され、この点においても実用性に秀れる。
【００２０】
また、請求項３記載の発明においては、傾斜辺状縁に載った毛髪の内の、より多くの毛髪が前記凹溝に案内されることとなるから、凹溝に適切量の毛髪を一層確実に集め、一回のカッティング動作で一層確実に所定量の毛髪をカットすることができ、一層作業性に秀れる。
【００２１】
また、請求項４記載の発明においては、前記凹溝で支承保持し切れなかった毛髪を、凹縁部にて支承保持し得る構成により、前記凹溝だけでなく、該凹溝及び前記凹縁部の複数箇所で毛髪を分散して支承保持するから、これら分散された毛髪を各個に小さい抵抗で段階的にカットできるなど、一層軽快なカッティングを行うことができ、実用性に秀れる。
【発明を実施するための最良の形態】
【００２２】
好適と考える本発明の実施形態（発明をどのように実施するか）を、図面に基づいて本発明の作用を示して簡単に説明する。
【００２３】
刃板１と櫛状刃板３とにより挟持した毛髪４を切断する。この際、前記櫛状刃板３に多数並設状態に突設した櫛刃２間に入った毛髪４は切断されず、前記櫛刃２の先端縁に複数形成した凹溝14により支承保持された毛髪４だけが良好に切断されることになり、毛髪４に折り目がつくことが阻止される。
【００２４】
具体的には、前記櫛刃２の先端縁を、前記櫛状刃板３の基端側を高位端側部６ａ，先端側を低位端側部６ｂとして高位端側部６ａから低位端側部６ｂに直線状に下り傾斜する傾斜辺状縁６に形成して、更に、この傾斜辺状縁６は、各櫛刃２の高位端側部６ａを次々と結線することで想定される刃先線に対して前記低位端側部６ｂがこの刃先線と略合致する位置にはなくこの刃先線より櫛刃２基端側に離れた位置となるように大きく下り傾斜するように形成して、該傾斜辺状縁６を傾斜案内部となるように形成したから、この傾斜辺状縁６に載った前記毛髪４は、前述の通り、大きく下り傾斜する傾斜辺状縁６上を自重により下方向に滑り落ち、傾斜辺状縁６に凹設した前記凹溝14へ案内され、この凹溝14に滑落し支承保持されることとなる。即ち、凹溝14には前記傾斜辺状縁６に載った毛髪４が徐々に溜まることとなる。
【００２５】
また、この際、前記凹溝14に支承保持可能な限界量の毛髪４が溜まると、残余分の毛髪４は、凹溝14に支承保持されずにそのまま自重によって前記傾斜案内部としての傾斜辺状縁６を下方に滑動し、該傾斜辺状縁６から前記櫛刃２間に排出されることとなる。
【００２６】
また、前記傾斜辺状縁６は、上述の通り、前記櫛状刃板３の基端側から先端側に向かって下り傾斜するように形成されており、即ち、前記刃板１と前記櫛状刃板３とが閉じる際、基端側から先端側に向かって徐々に閉塞する刃板１と櫛状刃板３の閉動作に応じて、毛髪４はこの刃板１の刃縁11の押圧により、櫛状刃板３の基端側から先端側に強制的に押動され、前記傾斜案内部としての傾斜辺状縁６を低位端側部６ａに向かって滑落することとなる。
【００２７】
つまり、前記傾斜辺状縁６は、高位端側部６ａから低位端側部６ｂに向かって大きく下り傾斜した形状のため、該傾斜辺状縁６に載った毛髪は、自重によって確実に下方の低位端側部６ｂ側に滑落することとなり、しかも、傾斜辺状縁６に載った毛髪４は、単に自重によって傾斜辺状縁６を滑落するだけでなく、前記刃板１の刃縁11の押圧によっても、強制的に傾斜辺状縁６を滑落することとなり、よって、前記凹溝14には傾斜案内部としての傾斜辺状縁６に載った毛髪４が誘い込まれて確実に毛髪４が溜まることになると共にこの凹溝14に入り切らない毛髪４はこの傾斜辺状縁６から前記櫛刃２間に確実に排出されることになる。即ち、前記傾斜辺状縁６が小さく下り傾斜していた場合若しくは殆ど傾斜していない平坦縁だった場合においては、上述のような前記傾斜辺状縁６の傾斜案内部としての作用効果が発揮されない。
【００２８】
また、前記傾斜辺状縁６は、高位端側部６ａから低位端側部６ｂに向かって直線状に下り傾斜した形状なので、必然的に、傾斜辺状縁６は、高位端側部６ａ乃至低位端側部６ｂの、どの箇所においても前記毛髪４を低位端側部６ｂ側に良好に滑落させ得る下り傾斜角度を有することとなるので、該傾斜辺状縁６に載った毛髪４は、確実に低位端側部６ｂ側に案内され該凹溝14にて支承保持されるか、若しくは、傾斜辺状縁６から前記櫛刃２間に排出されることとなる。
【００２９】
従って、本発明においては、所定傾斜角度で下り傾斜する直線状の前記傾斜辺状縁６に載った毛髪４を、自重及び前記刃板１の刃縁11の押圧によって、確実に低位単側部６ｂ側に滑落させるから、前記凹溝14には確実に毛髪４が溜まることとなり、この凹溝14で支承保持し切れなかった残余も確実に傾斜辺状縁６から前記櫛刃２間に排出されることとなり、常に適切量の毛髪４を凹溝14に集めて、残余は櫛刃２間に排出して折り目を付けることを阻止して良好にカッティングを行えることとなる。
【００３０】
また、単に、従来のすき鋏の櫛刃の先端の平坦縁を所定傾斜角度に傾斜させただけの前記傾斜辺状縁６に、従来のすき鋏の凹状保持縁としての前記凹溝14を凹設しただけの簡易構造であり、従来のすき鋏と比して、極端に製造が困難になったりコスト高となることがない。従って、本発明に係るすき鋏は、あくまでも、従来のすき鋏と略同様な生産コストで容易に製造可能でありながら、従来のすき鋏にはない秀れた作用効果を発揮し得る実用性に秀れたものである。
【００３１】
また、請求項２記載の発明においては、前記凹溝14が前記傾斜辺状縁６に複数並設状態に凹設されているから、これらの複数の凹溝14のうちの上方側に凹設した一の凹溝14に入り切らなかった毛髪４は、傾斜案内部としての傾斜辺状縁６に案内されて、これらの複数の凹溝14のうちの下方側に凹設した他の凹溝14に案内されて該凹溝14によって支承保持されることとなる。即ち、前記傾斜辺状縁６に載った毛髪４は、これら複数の凹溝14によって分散して支承保持されることとなる。
【００３２】
ここで、前記傾斜辺状縁６は前記櫛状刃板３の基端側から先端側に向けて下り傾斜している形状であるが故に、前記傾斜辺状縁６に凹設された複数の凹溝14は、上方側に凹設された凹溝14程前記櫛状刃板３の基端側となり、下方側に凹設された凹溝14程前記櫛状刃板３の先端側となる。即ち、前記傾斜辺状縁６に複数並設状態に凹設されたこれらの凹溝14は、カッティング動作によって前記刃板１及び櫛状刃板３が基端側から先端側に向けて徐々に閉塞していく際の、刃板１の刃縁11の軌道に沿って配設されることとなる。
【００３３】
従って、これらの複数の凹溝14に分散して支承保持した毛髪４をカットする際には、刃板１の刃縁11が最初に到達する位置、即ち、前記傾斜辺状縁６の高位端側部６ａ側に位置する凹溝14から、順番に、低位端側部６ｂ側に凹設された凹溝14に向かって、次々と、段階的にカッティングが行われることとなる。
【００３４】
つまり、複数の凹溝14で毛髪４を分散して支承保持するから、個々の凹溝14の大きさは小さく設定でき、小さく設定されたこれらの複数の凹溝14に支承保持された毛髪４を各個に段階的に小さい抵抗でカットすることができるから、一層軽快なカッティングを行えることとなる。
【００３５】
また、例えば、より多くの毛髪４を凹溝14に支承保持しようとした際に、単に一つの凹溝14によって多量の毛髪４を支承保持する場合には、一カ所に集められた多量の毛髪４をそれだけ大きい抵抗でカットしなくてはならず軽快な切り心地を損ねてしまうが、これに対して、本発明に係るすき鋏は、多量の毛髪４を支承保持する場合にも、複数の凹溝14によって分散して支承保持し、これらの分散されて支承保持された毛髪４を、順番に、分散された分だけ各個に小さい抵抗でカットすることとなるから、軽快な切り心地を保持したまま、一回のカッティング動作でより多くの毛髪４をカットできることとなる。
【００３６】
また、請求項３記載の発明においては、傾斜案内部としての前記傾斜辺状縁６を高位端側部６ａから低位端側部６ｂへ一方方向に案内される前記毛髪４は、該傾斜辺状縁６の低位端側部６ｂ側寄り、即ち、毛髪４案内方向側寄りに凹設された凹溝14に、より良好に案内されて、この凹溝14には、一層確実に毛髪４が集められることとなる。
【００３７】
また、請求項４記載の発明においては、凹溝14に支承保持し切れなかった毛髪４が、自重と前記刃板１の閉動による押圧によって前記傾斜辺状縁６を滑動し、傾斜辺状縁６の低位端側部６ａに向かって滑落し、このまま傾斜辺状縁６から前記櫛刃２間に排出されることを前記傾斜短辺状縁７によって阻止され、この毛髪４は前記傾斜辺状縁６の低位端側部６ｂ側と前記傾斜短辺状縁７とにより前記櫛刃２の先端縁の一側寄りに形成される凹縁部９に溜まることとなる。
【００３８】
この際、この凹縁部９に毛髪４が溜まる程、前記傾斜短辺状縁７は、毛髪４が櫛刃２間に排出されるのを阻止する作用が小さくなり、毛髪４は前記傾斜短辺状縁７を越えて前記櫛刃２間に入りやすくなる。
【００３９】
よって、前記凹溝14だけでなく、この凹縁部９によって前記毛髪４を支承保持することで、毛髪４をより多数箇所に分散して支承保持できるから、上述の通り、複数に分散された毛髪４を、段階的に、各個に小さい抵抗でカットできるから、より軽快にカッティングを行えることとなる。
【００４０】
また、一定量支承保持した前記凹縁部９は、毛髪４が櫛刃２間に排出されることを阻止する効果を失い、容易に毛髪４はこの凹縁部９を越えて前記櫛刃２間に排出されることとなり、常に最適な量の毛髪４だけがこの凹縁部９に保持されるから、毛髪４の保持量が増え過ぎてカッティングを行う際の抵抗が大きくなり軽快な切り心地を損ねてしまうことが阻止される。
【実施例１】
【００４１】
本発明の具体的な実施例１について図面に基づいて説明する。
【００４２】
本実施例は、図１に図示したように、刃縁11を形成した刃板１と櫛刃２を多数並設状態に突設した櫛状刃板３とを、両刃板１，３の交叉部を支点ネジ10で枢着して開閉自在に構成し、前記櫛刃２の先端縁に毛髪４を支承保持する凹状保持縁を形成し、この凹状保持縁に支承保持される毛髪４を刃板１の刃縁11によって切断し、前記櫛刃２間に入った毛髪４は、刃板１の刃縁11によって切断し得ないように構成したすき鋏であって、具体的には図２に図示したように、前記櫛刃２の先端縁を、前記櫛状刃板３の基端側を高位端側部６ａ，先端側を低位端側部６ｂとして高位端側部６ａから低位端側部６ｂに直線状に下り傾斜する傾斜辺状縁６に形成し、更に、傾斜辺状縁６は、各櫛刃２の高位端側部６ａを次々と結線することで想定される刃先線に対して前記低位端側部６ｂがこの刃先線と略合致する位置にはなくこの刃先線より櫛刃２基端側に離れた位置となるように大きく下り傾斜するように形成し、この傾斜辺状縁６に前記凹状保持縁としての凹溝14を凹設し、この傾斜辺状縁６は毛髪４を前記傾斜辺状縁６の高位から低位に毛髪４の自重若しくは前記刃板１の閉動による押圧によって案内する傾斜案内部となるように形成し、この傾斜案内部としての傾斜辺状縁６に凹設された前記凹溝14は、毛髪４が該傾斜辺状縁６の高位から低位に案内される際に、毛髪４が滑落し支承保持されることによってこの毛髪４を凹溝14に留め、傾斜辺状縁６から前記櫛刃２間に毛髪４が排出されることを阻止するように形成したものである。
【００４３】
具体的に各部を説明すると、刃板１は、先端縁に刃縁11を形成し、基端部に母子穴12を設けたものである。
【００４４】
櫛状刃板３は、先端部に櫛刃２を多数複数並設状態に突設し、基端部に貫指穴13を設けたものである。
【００４５】
傾斜辺状縁６は、該傾斜辺状縁６に載った毛髪４を自重により低位端側部６ｂに滑落させるように下り傾斜した形状であり、また、前記刃板１の閉動による刃縁11の押圧によっても前記毛髪４を低位端側部６ｂ側に強制的に滑落させるように構成したものである。
【００４６】
具体的には、前記高位端側部６ａから前記低位端側部６ｂに直線状に下り傾斜しており、更に、この傾斜辺状縁６は、各櫛刃２の高位端側部６ａを次々と結線することで想定される刃先線に対して前記低位端側部６ｂがこの刃先線と略合致する位置にはなくこの刃先線より櫛刃２基端側（図２中、下方側）に離れた位置となるように大きく下り傾斜するように形成したものである。
【００４７】
即ち、この傾斜辺状縁６は、高位端側部６ａに対して低位端側部６ｂが櫛刃２基端側（図２中、下方側）の位置となるように形成し、大きく下り傾斜した形状としたので、これにより、傾斜辺状縁６に載った前記毛髪４を、自重によって低位端側部６ｂ側に確実に滑落させ、また、刃板１閉動時における刃縁11の閉動軌跡方向に沿って傾斜辺状縁６が下り傾斜した形状のため刃板１閉動時における刃縁11の押圧によっても前記毛髪４を確実に低位端側部側６ｂに滑落させるように構成され、よって、傾斜辺状縁６は、該傾斜辺状縁６に載った毛髪４を確実に凹溝14に案内するか若しくは前記櫛刃２間に排出する傾斜案内部となる。
【００４８】
また、更に具体的には、この傾斜辺状縁６は、図２に図示したように、前記櫛刃２の突出方向に対して約４５°程傾斜した形状である。尚、この傾斜辺状縁６の傾斜角度は、本実施例のものに限られるものではなく、他にも、本実施例と同様の特性を発揮し得る傾斜角度であれば良い。
【００４９】
凹溝14は、図２に図示したように、前記傾斜辺状縁６上に複数並設状態に凹設され、この凹溝14は前記傾斜案内部としての傾斜辺状縁６によって案内されてきた毛髪４を支承保持するように形成している。
【００５０】
具体的には、図２に図示したように、前記傾斜辺状縁６に所定間隔で二か所、図２中、鉛直方向（前記櫛状刃板３の形成長さ方向と略直交する方向）に偏Ｕ字状に凹設した構成である。尚、これらの凹溝14の溝深さ，配設位置は、これらの凹溝14に支承保持された毛髪４が、前記刃縁11によって段階的にカットされるように考慮し、決定される。
【００５１】
更に具体的には、前記二つの凹溝14は、実際にカッティングを行い前記刃板１と櫛状刃板３を基端側から先端側に向けて徐々に閉塞させていく際の、刃板１の刃縁11の閉動軌跡に沿うように配設されており、この刃板１の刃縁11によって高位端側部６ａ側（図２中、右上側）に凹設された凹溝14に支承保持された毛髪４が全てカットされた後、低位端側部６ｂ側（図２中、左下側）に凹設された凹溝14に支承保持された毛髪４が前記刃縁11によってカットされるように設定している。
【００５２】
本実施例は、上述のように構成したから、カッティングを行う際、前記傾斜辺状縁６に載った毛髪４は、図２に図示したように、大きく下り傾斜した傾斜辺状縁６を、自重により滑落し、前記櫛刃２間に排出されるか、若しくは、該傾斜辺状縁６に凹設された前記凹溝14に案内されることになる。
【００５３】
また、前記傾斜辺状縁６は、前記櫛状刃板３の基端側から先端側に向かって下り傾斜しているから、該傾斜辺状縁６は、前記刃板１閉動時における刃縁11の閉動軌跡方向に沿って下り傾斜することとなり、従って、該傾斜辺状縁６に載った毛髪は、自重だけでなく、この閉動する刃板１の刃縁11の押圧によっても、低位端側部６ｂ方向に滑落することとなる。
【００５４】
この際、凹溝14が偏Ｕ字状にして該凹溝14に案内された毛髪４を支承保持し得るように形成しているから、凹溝14に案内された毛髪４は、凹溝14に支承保持され前記櫛刃２間への排出が阻止されることとなる。
【００５５】
即ち、前記櫛状刃板３をカットを行う人の頭部に当てることで、単に、偶然前記凹溝14に入った毛髪４だけでなく、前記傾斜辺状縁６に載った毛髪４も、この傾斜案内部としての傾斜辺状縁６を自重及び前記刃縁11の押圧によって滑落し、前記凹溝14に案内されて、該凹溝14には確実に毛髪４が溜まることとなる。
【００５６】
また、この凹溝14に毛髪４が溜まり、この凹溝14にて支承保持可能な所定量の毛髪４が溜まった際には、この凹溝14は支承保持力を失うので、残余の毛髪４は、該凹溝14に案内されても支承保持されずに、凹溝14を通り越えて、更に傾斜辺状縁６を滑り落ち、前記櫛刃２間に排出されることとなる。この櫛刃２間に入った毛髪４は切断されず、前記櫛刃２の先端縁に形成した凹溝14により支承保持された毛髪４だけが良好に切断されることとなる。
【００５７】
即ち、例えば、前記櫛刃２を幅狭として、本実施例に係る凹溝14だけを先端縁に設定した場合、傾斜辺状縁６を有さないＵ字凹溝状先端縁となり、傾斜案内部としての傾斜辺状縁６がないので、直接凹溝14に入った毛髪４だけしか切断できず効率が悪いが、これに対し、本実施例においては、前記傾斜案内部としての傾斜辺状縁６に載った毛髪４を、前記凹溝14に誘い込み、良好に凹溝14に毛髪４をためることができるから、常に効率良く凹溝14に毛髪４を集めることができ、良好に毛髪４をカットできる。また、例えば、前記櫛刃２の先端を、前記傾斜辺状縁６のように大きく傾斜した形状とせず、単に、略平坦な平坦縁とし、この平坦縁の中央部に凹状保持縁を設けた構成の場合、この平坦縁に前記毛髪４が残ったまま、確実に毛髪４を支承保持できていない状態で切断することで良好にカッティングが行えないだけでなく、この毛髪４に枝毛の原因となる折り目を付けてしまうが、これに対し、本実施例においては、前記傾斜案内部としての傾斜辺状縁６によって、この傾斜辺状縁６の傾斜面を自重によって毛髪４が滑落し、良好に前記凹状保持縁としての凹溝14に毛髪４を誘い込めるだけでなく、前記刃板１により強制的に毛髪４を基端側から先端側へ押動し凹溝14に誘い込むので、毛髪４は前記傾斜辺状縁６に残ってしまうことなく、前記凹溝14によって確実に支承保持されることとなる。
【００５８】
また、前記傾斜辺状縁６は、高位端側部６ａから低位端側部６ｂに直線状に下り傾斜した形状であるから、必然的に、該傾斜辺状縁６は、高位端側部６ａ乃至低位端側部６ｂにおいて同様な下り傾斜角度を有すこととなり、即ち、前記毛髪４は、傾斜辺状縁６のどの箇所に載った場合においても、良好に低位端側部６ｂ側に滑落することとなる。
【００５９】
よって、本実施例においては、カッティングを行う際に、傾斜辺状縁６に載った毛髪４が前記傾斜案内部としての傾斜辺状縁６に案内されて、従来の櫛刃２の先端縁の凹状保持縁としての前記凹溝14に確実に毛髪４が溜まることとなり、また、この凹溝14に所定量の毛髪４が保持されると、残余分の毛髪４は傾斜辺状縁６から前記櫛刃２間に確実に排出されることとなり、常に適切な量の毛髪４だけを支承保持して、効率良く軽快にカッティングを行えると共に毛髪４に折り目が付くことも確実に阻止することができるなど作業性に秀れ、極めて実用性に秀れた画期的で商品価値の高いすき鋏である。
【００６０】
しかも、本実施例においては、前記傾斜辺状縁６は、複雑な曲線状の形状でなく、単に高位端側部６ａから低位端側部６ｂに向かって直線状に下り傾斜した形状であって、即ち、単に従来のすき鋏の櫛刃の先端の平坦縁を大きく下り傾斜させた形状の前記傾斜辺状縁６に、従来のすき鋏の凹状保持縁としての前記凹溝14を凹設しただけの簡易構造であり、従来のすき鋏と比して、極端に製造が困難になったりコスト高となることなく、あくまでも、従来のすき鋏と略同様な製造コストで製造可能でありながら、従来のすき鋏にはない秀れた作用効果を発揮し作業性に秀ることとなり得るものであって、生産性やコスト性に秀れ、この点においても実用性に秀れたすき鋏である。
【００６１】
また、前記凹溝14は前記傾斜辺状縁６に所定間隔で二か所に並設状態に凹設した構成である為、これら傾斜辺状縁６の二カ所に凹設された凹溝14のうちの上方側に凹設された凹溝14に毛髪４がたまり、一定量の毛髪４が溜まることで、この凹溝14が保持力を失い、この凹溝14で支承保持し切れなかった毛髪４は、傾斜辺状縁６を滑り落ちて傾斜辺状縁６上に凹設された凹溝14のうちの下方側に凹設された凹溝14に誘い込まれ、この下方側の凹溝14によって支承保持されることとなる。
【００６２】
即ち、前記傾斜辺状縁６上の二カ所に凹設した凹溝14に分散して毛髪４を支承保持する構成であり、実際にカッティングを行う際には、凹溝14に保持された毛髪４を、二回に分けて切断することとなる。
【００６３】
ここで、前記傾斜辺状縁６が前記櫛状刃板３の基端側から先端側に下り傾斜している形状であるが故に、前記傾斜辺状縁６に凹設された凹溝14のうち一の凹溝14は上方側にして前記櫛状刃板３の基端側に位置し、他の凹溝14は下方側にして前記櫛状刃板３の先端側に位置する凹溝14となる。
【００６４】
即ち、前記二つの凹溝14は、実際にカッティングを行い前記刃板１と櫛状刃板３を基端側から先端側に向けて徐々に閉塞させていく際の、刃板１の刃縁11の閉動軌跡に沿うように配設されているので、前記傾斜辺状縁６の上方側にして基端側に凹設された一の凹溝14には、下方側にして先端側に凹設された他の凹溝14より先に前記刃板１の刃縁11が到達することとなり、この刃縁11によって一の凹溝14に支承保持する毛髪４がカットされることとなる。更に、下方側にして先端側に凹設した他の凹溝14に前記刃板１の刃縁11が到達する際には、既に一の凹溝14に支承保持された毛髪４のカットは完了している状態となる。
【００６５】
つまり、前記傾斜辺状縁６に凹設された二つの凹溝14で支承保持する毛髪４を、同時にカットするわけではなく、段階的に、まず一の凹溝14に支承保持された毛髪４をカットし、次いで他の凹溝14に支承保持された毛髪４のカットを行うこととなるので、夫々の凹溝14に支承保持された毛髪４を、段階的に、各個に小さい抵抗で段階的に切断することとなる。
【００６６】
従って、本実施例においては、一層小さい抵抗で毛髪４をカッティングすることができるだけでなく、前記凹溝14の二つの凹溝でより多くの毛髪４を支承保持しても、これら毛髪４を単に一カ所に集めて支承保持して大きな抵抗で一度にカットする場合と比して、大量の毛髪４も二つの凹溝14に分散して保持し、各個に小さい抵抗で段階的に切断していくこととなり、抵抗の小さい快適な切り心地を保ったまま、一回のカッティング動作でより多くの毛髪４をカットすることができるなど、この点においても一層実用性に秀れる。
【００６７】
尚、前記凹溝14は、図２に図示した形状に限られるものではなく、この他にも、例えば、偏Ｖ字状など、本実施例の特性を発揮し得る形状であれば良い。
【実施例２】
【００６８】
本発明の具体的な実施例２について図面に基づいて説明する。
【００６９】
本実施例は、実施例１の別例であり、具体的には、図３に図示したように、前記傾斜辺状縁６の低位端側部６ａ側に、該傾斜辺状縁６と対向状態に傾斜短辺状縁７を設けることで、前記櫛刃２の先端縁に、この傾斜短辺状縁７と傾斜辺状縁６とからなる偏Ｕ字状の凹縁部９を形成した構成である。
【００７０】
この凹縁部９は、図３に図示したように、前記傾斜辺状縁６と前記傾斜短辺状縁７とによって前記櫛刃２の先端縁の図３中、左寄り（前記櫛状刃板３の先端側寄り）に形成される偏Ｕ字状の構成のものであって、更に、この凹縁部９は、前記傾斜辺状縁６に凹設した凹溝14に支承保持されずに残余としてそのまま前記櫛刃２間に入る毛髪４が、前記傾斜短辺状縁７によって阻止され凹縁部９で支承保持されると共に、所定量の毛髪４がこの凹縁部９で支承保持されると残余は前記刃板１の閉動作による押圧によって前記傾斜短辺状縁７を越えて前記櫛刃２間に排出されるように形成した構成のものである。
【００７１】
また、傾斜短辺状縁７の形状は、前記凹縁部９での毛髪４の最適な支承保持量を考慮し、決定される。具体的は、実際にカッティングを行う際に、前記凹溝14に支承保持された毛髪４が全て前記刃板１の刃縁11によってカットされた後、該刃板１の刃縁11によって前記凹溝部９に支承保持された毛髪４のカットが開始されるように傾斜短辺状縁７の形状を設定している。
【００７２】
本実施例は、上述のように構成したから、前記凹溝14にて支承保持し切れなかった毛髪４が、前記傾斜辺状縁６を滑り落ち、この傾斜辺状縁６の低位端部６ｂに案内され、前記傾斜短辺状縁７により前記櫛刃２間に排出されることが阻止されて、この毛髪４は前記傾斜辺状縁６の低位端側部６ｂ側と前記傾斜短辺状縁７とにより前記櫛刃２の先端縁の一側寄りに形成される凹縁部９に溜まることとなり、また、この凹縁部９に毛髪４が溜まる程、前記傾斜短辺状縁７の、毛髪４が前記櫛刃２間に排出されるのを阻止する作用が小さくなり、毛髪４は前記傾斜短辺状縁７を越えて前記櫛刃２間に入りやすくなる。
【００７３】
つまり、この凹縁部９には、良好に毛髪４が集まり、該凹縁部９で支承保持されると共に、この支承保持量が多くなりすぎることなく、残余は良好に前記櫛刃２間に排出されるから、常に適切な量の毛髪４のみが該凹縁部９にて支承保持されることとなる。
【００７４】
よって、本実施例においては、前記凹溝14だけでなく、前記凹縁部９によっても、最適な一定量の毛髪４を支承保持すると共に残余分は確実に前記櫛刃２間に排出し、常に適切な量の毛髪４をカッティングすることができ、毛髪４に枝毛の原因となる折り目を付けることもなく良好にカッティングを行うことができる。
【００７５】
また、この凹縁部９及び凹溝14によって、前記毛髪４を一層複数箇所に分散して支承保持し、これらの毛髪４を各個に一層小さい抵抗でカットすることができることとなり、例えば、これらの凹縁部９及び凹溝14でより多くの毛髪４を保持しても、これらの複数の箇所に分散して支承保持された毛髪４を各個に一層小さい抵抗でカットすることで、抵抗の小さい軽快な切り心地を保ったまま、一回のカッティング動作で一層多くの毛髪４をカットすることができることとなるなど、一層作業性に秀れたすき鋏となる。
【００７６】
尚、前記凹縁部９を偏Ｖ字状に形成しても良く、この場合は凹縁部９の傾斜短辺状縁７の、前記毛髪４が前記櫛刃２間に排出されるのを阻止する作用が一層高くなる。
【００７７】
その余は実施例１と同様である。
【実施例３】
【００７８】
本発明の具体的な実施例３について図面に基づいて説明する。
【００７９】
本実施例は、実施例１の別例であって、図４に図示したように、櫛刃２の傾斜辺状縁６に凹設される前記凹溝14を、傾斜辺状縁６の低位端側部６ｂ側寄りに凹設した構成のものである。
【００８０】
具体的には、凹溝14は、図４に図示したように、傾斜辺状縁６の低位端側部６ｂ寄りに３箇所、所定間隔を介して複数並設状態に凹設した構成である。
【００８１】
また、凹溝14は、前記傾斜辺状縁６の傾斜面に対して直交方向に凹設してＵ字状に形成している。
【００８２】
また、これらの複数並設状態の凹溝14の溝深さ，配設位置は、これらの凹溝14に支承保持された毛髪４が、前記刃縁11によって段階的にカットされるように考慮し、決定される。具体的には、これらの複数の凹溝14は、実際にカッティングを行い前記刃板１と櫛状刃板３を基端側から先端側に向けて徐々に閉塞させていく際の、刃板１の刃縁11の閉動軌跡に沿うように配設されており、高位端側部６ａ側（図４中、右上側）に凹設された凹溝14に支承保持された毛髪４から順番に前記刃板１の刃縁11によるカットが開始され、凹溝14に支承保持された毛髪４が全てカットされた後、次いで、低位端側部６ｂ側（図４中、左下側）に凹設された凹溝14に支承保持された毛髪４のカットが開始されるように設定している。
【００８３】
尚、前記凹溝14の凹設箇所は、本実施例のものに限られるものではなく、例えば、図５に図示したように、傾斜辺状縁６の低位端側部６ｂ近傍位置に、一箇所にのみ凹設する構成としても良く、また、例えば、複数箇所に凹設する構成としても良い。
【００８４】
また、本実施例においては、図４に図示したように、前記傾斜辺状縁６の高位端側部６ａをＲ形状に形成している。
【００８５】
具体的には、この傾斜辺状縁６の高位端側部６ａに面取り加工を施して、図４に図示したように、傾斜辺状縁６の高位端側部６ａ近傍位置をＲ形状に形成したものである。
【００８６】
本実施例は、上述のように構成したから、傾斜案内部としての前記傾斜辺状縁６に載った毛髪４は、自重及び閉動する刃板１の刃縁11の押圧によって、低位端側部６ａ方向に滑動し、低位端側部６ａ側寄りに複数並設状態に凹設された前記凹溝14に該毛髪４が集められることとなる。
【００８７】
ここで、前記傾斜辺状縁６の前記凹溝14凹設位置よりも上方側に載った毛髪４は、下方に位置する前記凹溝14に向かって案内されることとなるが、これに対して、前記傾斜辺状縁６の凹溝14凹設位置よりも下方側に載った毛髪４は、上方に位置する凹溝14に案内されることなく、ただ該傾斜辺状縁６から前記櫛刃２間に排出されるのみである。
【００８８】
従って、本実施例のように、前記凹溝14を傾斜辺状縁６の下方側に凹設することで、前記傾斜辺状縁６に載った毛髪４の殆どがこれらの複数の凹溝14に案内されることとなるので、必然的に、該凹溝14に効率良く毛髪４がたまり支承保持されることとなる。
【００８９】
また、前記刃板１と前記櫛状刃板３とを閉動させる際、この刃板１の刃縁11と、前記傾斜辺状縁６の高位端側部６ａとが当接しても、該高位端側部６ａがＲ形状に形成されているから、該高位端側部６ａが鋭頭な形状に形成されていた場合に比して、高位端側部６ａと刃縁11とが引っ掛かりにくく、それだけ抵抗が小さく、軽快に閉動作、即ち、カッティング動作を行えることとなる。
【００９０】
よって、本実施例は、前記傾斜辺状縁６に載った毛髪４のうちの殆どの毛髪４を前記凹溝14に案内できるから、複数並設状態に設けた前記凹溝14に、効率良く毛髪４が集められて、これらの凹溝14には所定量の毛髪が良好に溜まるから、一回のカッティング動作で一層効率よく確実に所定量の毛髪４をカットすることができ、一層作業性に秀れた画期的なすき鋏である。
【００９１】
また、前記傾斜辺状縁６の高位端側部６ａをＲ形状に形成することで、前記刃板１と前記櫛状刃板３とを閉動させる際の抵抗が小さくなるから、それだけ軽快に閉動作を行えることとなり、一層軽快にカッティングを行うことができ、実用性に秀れる。
【００９２】
その余は実施例１と同様である。
【００９３】
尚、本発明は、実施例１〜３に限られるものではなく、各構成要件の具体的構成は適宜設計し得るものである。
【図面の簡単な説明】
【００９４】
【図１】実施例１に係るすき鋏の説明図である。
【図２】実施例１に係るすき鋏の櫛刃の正面図である。
【図３】実施例２に係るすき鋏の櫛刃の正面図である。
【図４】実施例３に係るすき鋏の櫛刃の正面図である。
【図５】実施例３に係るすき鋏の櫛刃の別例の正面図である。
【符号の説明】
【００９５】
１  刃板
２  櫛刃
３  櫛状刃板
４  毛髪
６  傾斜辺状縁
６ａ  高位端側部
６ｂ  低位端側部
７  傾斜短辺状縁
９  凹縁部
11  刃縁
14  凹溝
【図１】
2005334618.tif 000003
【図２】
2005334618.tif 000004
【図３】
2005334618.tif 000005
【図４】
2005334618.tif 000006
【図５】
2005334618.tif 000007